(57)【要約】 【課題】従来の計算尺は運動内容を数値化したMETsという項目を媒介していないため、固有の体重に対し多様な運動における１単位（80kcal）消費するために必要とされるEx数、必要運動時間を予測する計算尺はなかった。【解決手段】片側に運動強度尺およびエクササイズ尺を表示し対側にエクササイズ尺と運動消費カロリー尺を並行に２列に表示した大型カード（１）と、前記大型カードより小さく、カードの外縁に沿って片側に体重尺を表示し対側に運動時間尺を表示した小型カード（２）とからなり、前記２枚のカードを重ね合わせると大型カード（１）の目盛が小型カード（２）の目盛より外側に可視的に表示され、かつ前記大型カード（１）の運動強度尺およびエクササイズ尺に対応するように前記小型カード（２）の体重尺が表示され、エクササイズ尺と運動消費カロリー尺に対応するように運動時間尺が表示されることを特徴とするエクササイズ計算尺付きカードセット。【選択図】  図４
2013163325.tif 000002
【特許請求の範囲】
【請求項１】
大型及び小型の２枚のカードで構成されたエクササイズ計算尺付きカードセットであって、ある面の片側に運動強度尺およびエクササイズ尺として機能する直線対数目盛を表示し、同じ面の対側にエクササイズ尺と運動消費カロリー尺として機能する直線対数目盛を並行に２列に表示した大型カード（１）と、前記大型カードより小さく、カードの外縁に沿って片側に体重尺として機能する直線対数目盛を表示し、対側に運動時間尺として機能する直線対数目盛を表示した小型カード（２）とからなり、前記２枚のカードを重ね合わせると、大型カード（１）の対数目盛が小型カード（２）の対数目盛より外側に可視的に表示され、かつ前記大型カード（１）の運動強度尺およびエクササイズ尺として機能する対数目盛に対応するように前記小型カード（２）の体重尺として機能する対数目盛が表示され、また、前記大型カード（１）のエクササイズ尺と運動消費カロリー尺として機能する対数目盛に対応するように前記小型カード（２）の運動時間尺として機能する対数目盛が表示されることを特徴とするエクササイズ計算尺付きカードセット。
【請求項２】
前記大型カード（１）に小型のカード（２）の幅より大きな切り込みを設け、切り込みに小型カードを差し込むことで相互にスライド自在に設けてなる請求項１に記載のエクササイズ計算尺付きカードセット。
【請求項３】
大型カード（１）の計算尺間のスペースに更に運動内容を記した請求項１又は２に記載のエクササイズ計算尺付きカードセット。
【請求項４】
前記小型カード（２）の計算尺間のスペースに更に計算に必要な使用方法の手順を記した請求項１から３のいずれかに記載のエクササイズ計算尺付きカードセット。
【請求項５】
前記大型カード（１）が、カードに記載された運動内容が異なる複数のカードからなる請求項１から４のいずれかに記載のエクササイズ計算尺付きカードセット。
【請求項６】
前記大型カード（１）が、カードに記載されたMETsが異なる複数のカードからなる請求項１から５のいずれかに記載のエクササイズ計算尺付きカードセット。
【発明の詳細な説明】
【技術分野】
【０００１】
本発明は、エクササイズ計算尺付きカードセットに関する。より詳しく
は、1単位(80kcal)を消費するためのエクササイズ及び必要運動時間の計
算に関する計算尺及び計算尺付きカードセットに関するものである。
【背景技術】
【０００２】
特定保健指導や健康教育等においてエクササイズガイド2006に従い、医師、管理栄養士、保健師などの専門職により対象の体重や運動強度（以下「METs」という。）、運動時間にあわせ、エクササイズ（以下「Ex」という。）を求め、消費カロリーを計算することが行われている。METsとEXは、式１により定義される。
式１  Ex（METs・時）＝運動強度(METs) ×運動時間(時)
これにより、Exの値に対し、式２により消費カロリーを求めることができる。
式２  Ex×体重（kg）×1.05＝消費カロリー（kcal）
逆に、目標とする消費カロリーからExを求めるには、式３により必要Exが求められる。
式３  Ex＝消費カロリー／｛体重（kg）×1.05｝
さらに、式４により必要運動強度が求められる。
式４  METs＝Ex／運動時間（時）
さらに、式５により必要運動時間が求められる。
式５  必要運動時間＝Ex／METs
【０００３】
また、日本の食品交換表や糖尿病ガイド２０１０の中で1単位を80kcal
として食事による摂取カロリーの指導と運動による消費カロリーの指導が行われている。これは、日本の食品において便宜的に定義された単位であるとともに医師、管理栄養士、保健師などの専門職のみならず広く一般に普及している概念である。つまり、エクササイズガイド２００６と日本糖尿病ガイドライン２０１０を合わせると式６によりある運動における１単位当たりの必要運動時間を求めることができる。
式６  1単位消費運動時間（時間）＝80（kcal）／｛METｓ×｛体重（kg）×1.05｝｝
しかし、これらの計算を行うにはわずらわしさがあった。
【０００４】
なお、設定したMETs数または求められたMETs数に対応し代表的な運動内容を示す対応表が公表されている（非特許文献２）。
【０００５】
そこで、これらを求める方法が種種提案されている。例えば、特許文献１の計算尺を組み合わせた時計では、あらかじめ設定した運動内容に対し個人の体重ごとに目標消費カロリーに対し必要な運動時間を計算することが記載されている。また、非特許文献３の学習教材では、特定の体重の人が数種類の運動を数種類の運動時間行った場合の消費カロリーを簡易的に求めることが示されている。
【０００６】
しかしながら、従来の計算尺は運動内容を数値化したMETsという項目を媒介していないため、エクササイズガイド２００６に合わせた消費カロリーや必要な運動時間は求められなかった。また、上記の学習教材においては異なる体重の人が使うと大幅に誤差を含んだ数値を見積もってしまうという問題を含んでいた。さらに、運動内容を数値化したMETsという項目を媒介したエクササイズガイド２００６と80kcalを1単位と定義した食品交換表や糖尿病ガイド２０１０を合わせて一体として1単位(80kcal)消費に必要な運動時間を計算するものはなかった。また、特許文献１の場合、運動内容の追加や変更に伴い必要運動時間を求めるには、一体となったカード自体の設計を変える必要があった。他に、コンピュータを用いると計算のわずらわしさと誤差の問題は解消に近づくが、起動時間がかかるという問題や、手軽さの問題が生じる上、条件の微小変化に対し求めた数値の周辺の情報を可視化できないという問題があった。
【先行技術文献】
【特許文献】
【０００７】
【特許文献１】特開平６−１８０３７９
【非特許文献】
【０００８】
【非特許文献１】厚生労働省「エクササイズガイド２００６」
【非特許文献２】独立行政法人国立健康・栄養研究所「メッツ値表」
【非特許文献３】厚生労働省「保健指導における学習教材集−Ｃ１７         身体活動で消費する量の計算−」
【発明の概要】
【発明が解決しようとする課題】
【０００９】
本発明は、以上のような状況下において問題を一括して解決しようとするもので、容易に運動計画を可能にすることを目的とする。
【課題を解決するための手段】
【００１０】
本発明は、直線計算尺を重ね、その原理を複数回利用する構成をとることにより、1単位(80kcal)と（固有の体重×1.05）との商である1単位(80kcal)消費に必要なExを得る操作の結果値を表示し、得られたExと運動固有のMETｓの商である1単位(80kcal)消費に必要な運動時間を得る操作の結果値を、互いの位置に一定の関係にある位置に表示するカードセットである。カードの組み合わせを変えることにより、運動内容を変更した場合にも同様に1単位(80kcal)消費に必要な運動時間を得る操作の結果値を、互いの位置に一定の関係にある位置に表示する。かかる、手段をとることにより、本発明の課題を解決することができる。
【００１１】
即ち、本発明は次の態様にかかるものである。
（ａ）大型及び小型の２枚のカードで構成されたエクササイズ計算尺付きカードセットであって、ある面の片側に運動強度尺およびエクササイズ尺として機能する直線対数目盛を表示し、同じ面の対側にエクササイズ尺と運動消費カロリー尺として機能する直線対数目盛を並行に２列に表示した大型カード（１）と、前記大型カードより小さく、カードの外縁に沿って片側に体重尺として機能する直線対数目盛を表示し、対側に運動時間尺として機能する直線対数目盛を表示した小型カード（２）とからなり、前記２枚のカードを重ね合わせると、大型カード（１）の対数目盛が小型カード（２）の対数目盛より外側に可視的に表示され、かつ前記大型カード（１）の運動強度尺およびエクササイズ尺として機能する対数目盛に対応するように前記小型カード（２）の体重尺として機能する対数目盛が表示され、また、前記大型カード（１）のエクササイズ尺と運動消費カロリー尺として機能する対数目盛に対応するように前記小型カード（２）の運動時間尺として機能する対数目盛が表示されることを特徴とするエクササイズ計算尺付きカードセット。
（ｂ）前記大型カード（１）に小型のカード（２）の幅より大きな切り込みを設け、切り込みに小型カードを差し込むことで相互にスライド自在に設けてなる（ａ）に記載のエクササイズ計算尺付きカードセット。
（ｃ）前記大型カード（１）の計算尺間のスペースに更に運動内容を記した（ａ）または（ｂ）に記載のエクササイズ計算尺付きカードセット。
（ｄ）前記小型カード（２）の計算尺間のスペースに更に計算に必要な使用方法の手順を記した（ａ）、（ｂ）、（ｃ）のいずれかに記載のエクササイズ計算尺付きカードセット。
（ｅ）前記大型カード（１）が、カードに記載された運動内容が異なる複数のカードからなる（ａ）、（ｂ）、（ｃ）、（ｄ）のいずれかに記載のエクササイズ計算尺付きカードセット。
（ｆ）前記大型カード（１）が、カードに記載されたMETsが異なる複数のカードからなる（ａ）、（ｂ）、（ｃ）、（ｄ）、（ｅ）のいずれかに記載のエクササイズ計算尺付きカードセット。
【発明の効果】
【００１２】
本発明により、任意の体重の人が1単位(80kcal)消費に必要なExを計算し、ある運動における1単位(80kcal)消費に必要な運動時間を計算し、運動内容を変更した場合にとするカードセットが提供される。
【図面の簡単な説明】
【００１３】
【図１】本発明の一実施例の外観を示す図であり、上記実施例の利用方法を説明するための図である。
【図２】本発明の一実施例の外観を示す図であり、上記実施例の利用方法を説明するための図である。
【図３】本発明の一実施例の外観を示す図であり、上記実施例の利用方法を説明するための図である。
【図４】本発明の一実施例の外観を示す図であり、上記実施例の利用方法を説明するための図である。
【図５】本発明の一実施例の外観を示す図であり、上記実施例の利用方法を説明するための図である。
【図６】本発明の一実施例の外観を示す図であり、上記実施例の利用方法を説明するための図である。
【図７】本発明の一実施例の外観を示す図であり、上記実施例の利用方法を説明するための図である。
【図８】本発明の一実施例の外観を示す図であり、上記実施例の利用方法を説明するための図である。
【図９】本発明の一実施例の外観を示す図であり、上記実施例の利用方法を説明するための図である。
【図１０】本発明の一実施例の外観を示す図であり、上記実施例の利用方法を説明するための図である。
【図１１】本発明の一実施例の外観を示す図であり、上記実施例の利用方法を説明するための図である。
【発明を実施するための形態】
【００１４】
以下、本発明の態様例につき図面を参照しながら説明する。
本発明のエクササイズ計算尺付きカードの一例は、独立した大型カード（クロール）（１）および小型カード（２）を重ね、それぞれに設けられた対数目盛を利用し計算尺を構成し、スライド自在に設けてなるものである。また、本発明のエクササイズ計算盤の他の例は、大型カード（クロール）（１）上に小型カード（２）の幅より大きな切り込みを設けることで、図５、図７のように前記大型カード（クロール）（１）と小型カード（２）とをそれぞれに設けられた対数目盛が見える状態で自在にスライドできるものである。
【００１５】
図１に示すように、大型カード（クロール）（１）は、適当な大きさで、例えば、四角形をした平板形状に形成し、その片面に運動消費カロリー尺として機能する直線対数目盛（１ｂ）と内側にエクササイズ尺として機能する直線対数目盛（１ｃ）を表示する。また、1単位(80kcal)基準線（１ａ）を運動消費カロリー尺（１ｂ）の80の目盛線上に設けてある。対側にMETｓおよびEx尺（１ｅ）が設けてあり、クロールのMETｓ数である8.0の目盛線上に運動内容METs基準線（１ｄ）が設けてある。好ましくは、計算尺同士の間隔に運動内容表示部分（１ｆ）を設け、その下部には必要運動時間記入欄（１ｇ）を設け、さらにその下部にはメッセージおよび自由記入欄（１ｈ）を設けることが好ましい。
【００１６】
また、大型カード（クロール）（１）は、図６、図７のように適当な大きさで、円形やハート型など四角形以外の形状にすることが可能である。
【００１７】
２枚のカードの重ね方としては、図８左の側面図、図８右の底面図ように１枚のカードの上にもう１枚を置く方法、図９左の側面図、図９右の底面図ように大型カードに小型カード大の幅の溝を設け、小型カードを大型カードの溝の上でスライドさせる方法がある。
【００１８】
ここでいう対側とは、同じ面の一方の計算尺に対して目盛が向かい合うような位置関係を指す。
【００１９】
ここでいう内側とは、対数目盛（１Ｂ）を基準にカードの外縁側と中心側で分けたとき中心側である位置を指す。
【００２０】
次に、図２に示すように、小型カード（２）は、上記図１の大型カード（クロール）(1)より小さく、例えば、適当な大きさで四角形をした平板形状に形成し、カードの外縁に沿って片側に体重尺として機能する直線対数目盛（２ａ）と対側に時間尺として機能する直線対数目盛（２ｂ）を表示する。また、体重基準線（２ｃ）を体重尺（２ａ）の10の目盛線上に設けてある。
【００２１】
ここでいう外縁とは、カードの長辺または短辺の直線状部分を指し、外縁に沿って直線対数目盛を表示することとは、カードの一面において外縁より内側に直線状に対数目盛を設けることを指す。
【００２２】
また、図３に示すように、大型カード（バスケットボール）（３）は、大型カード（クロール）（１）と同様に、適当な大きさで四角形をした平板形状に形成し、その片面に運動消費カロリー尺として機能する直線対数目盛（３ｂ）と内側にエクササイズ尺として機能する直線対数目盛（３ｃ）を表示する。また、1単位(80kcal)基準線（３ａ）を運動消費カロリー尺（３ｂ）の80の目盛線上に設けてある。対側にMETｓおよびEx尺（３ｅ）が設けてあり、バスケットボールのMETｓ数である6.0の目盛線上に運動内容METs基準線（３ｄ）が設けてある。好ましくは、計算尺同士の間隔に運動内容表示部分（３ｆ）を設け、その下部には必要運動時間記入欄（３ｇ）を設け、さらにその下部にはメッセージおよび自由記入欄（３ｈ）を設けることが好ましい。
【００２３】
本発明は、上記により直線対数計算尺の原理を利用したものである。
【００２４】
本発明の特徴は、２枚のカードに関し、小型カードの外縁に沿って目盛を配置し、大型カードの目盛間隔を小型カードの幅よりわずかに大きくすることで、重ね合わせたときに目盛が対向する際に見やすくなると同時に、目盛が離れていた場合に比べ読み取る誤差が軽減されることである。対向するとは、向かい合う２つの目盛、例えば時間尺（２ｂ）とMETｓおよびEx尺（１ｅ）のうち着目した目盛に対し、他の一番近い目盛を読むことを意味する。
【００２５】
具体的には、図４、図５、図６、図７のように２枚の計算尺付きカードにおいて運動内容を記載したカードに対し、式３の消費カロリーに80を代入した計算には体重尺（２ａ）と運動消費カロリー尺（１ｂ）およびEx尺（１ｃ）が向かい合い、式５の計算には時間尺（２ｂ）とMETｓおよびEx尺（１ｅ）が向かい合うような距離に運動消費カロリー尺（１ｂ）およびEx尺（１ｃ）並びにMETｓおよびEx尺（１ｅ）を配置したことである。
【００２６】
ところで、運動内容とMETｓは、前記非特許文献２にあるように、その対応が明らかにされている。本発明においては、予め運動内容とMETｓの関係を示した一覧表を基に、使用する頻度の高い運動内容に関し大型カード（クロール）（１）や大型カード（バスケットボール）（３）のように運動内容表示部分（１ｆ）や運動内容表示部分（３ｆ）に運動内容を明記し、運動内容に対応するMETｓの値を目盛上に直線で運動内容METs基準線（１ｄ）や運動内容METs基準線（３ｄ）のように設けることが利便的である。
【００２７】
また、子どもや計算尺に不慣れな使用者や手順を忘れてしまった場合にも容易に計算できるよう、計算尺間のスペースに計算に必要な使用方法の手順を使用方法説明記載部分（２ｄ）に記すことが利便的である。
【００２８】
また、図５、図７、図１０左の側面図、図１０右の底面図、図１１左の側面図、図１１右の底面図ように小型カード（２）を大型カード（１）に設けた切り込み（１ｉ）から通しカードをスライドさせる方法がある。
【００２９】
上記計算尺付きカードセットは、各カードを紙、ポリエチレンやポリプロピレン等のプラスチック、金属など多様な素材から構成することが可能である。好ましくは、紙またはポリエチレン等を素材として構成することにより、必要運動時間記入欄（１ｇ）や必要運動時間記入欄（３ｇ）に運動時間を記入することが容易となる。
【００３０】
次に、各対数目盛の関係について説明する。式２における係数１．０５と体重基準線（２ｃ）として設定した１０を基準に計算尺として個々の体重を対応させるための係数１０の積である１０．５に着目し、大型カード（クロール）（１）上のEx尺（１ｃ）に１０．５倍したものが大型カード（クロール）（１）上の運動消費カロリー尺（１ｂ）に対応する。係数１０とは、体重が６５ｋｇの場合、基準線が１ｋｇであれば６５倍を計算するが、基準線を１０ｋｇとしたため６．５倍を計算したのち調整のために１０倍するという計算尺上の位の調整係数である。
【００３１】
本発明により、あるMETs、ある体重における、1単位（80kcal）を消費するのに必要なExを求め、得られたExに対し必要な運動時間を電力供給なしに容易かつより正確に求めることが可能となる。
【００３２】
また、上記の計算に対し新たな運動内容について求めなおす場合、容易に必要運動時間を求めることが可能となる。
【００３３】
本発明によりまた、設定した運動内容に対しエクササイズガイド２００６や食品交換表に詳しくない子どもでも容易に運動計画を可能にすることが可能となる。
【００３４】
本発明により電力供給なしに、固有の体重における80kcal消費に必要なExを求め（過程１）、過程１で求められたExから、ある運動内容に対する必要運動時間を計算すること（過程２）が可能となる。
【００３５】
本発明によりまた、過程２に対しある運動内容を別の運動内容に変えた場合に別の運動内容に対する必要運動時間を簡易的に計算すること（過程２’）が可能となる。
【００３６】
本発明はまた、過程１、過程２及び過程２’において、固有の体重が変化した場合や別の体重の人が用いる際に過程１、過程２及び過程２’を行うことも可能とすることに特徴がある。
【００３７】
本発明によりまた、過程１、過程２及び過程２’において過程１のみ、過程２のみまたは過程２’のみを行うことも可能となる。
【実施例】
【００３８】
次に以上の如くに構成された本実施例を利用してある運動に対し、１単位（80kcal）消費するのに必要なExを計算し(過程１)、さらにある運動に対し必要な運動時間を計算する方法(過程２)について説明する。ここでいう対向するとは、目盛に一番近い目盛を読むことを意味する。ここでは、体重55kgの運動実施者を例にとり説明する。
大型カード（クロール）（１）の1単位(80kcal)基準線（１ａ）に、小型カード（２）の体重尺（２ａ）から55(kg)を選び対向させると、大型カード（クロール）（１）のEx尺（１ｃ）の目盛の1.5が対向する。つまり、55kgの人が1単位(80kcal)を消費するためには1.5Exが必要であることがわかる。また、大型カード（クロール）（１）の運動内容METｓ基準線（１ｄ）に小型カード（２）の時間尺（２ｂ）の60を選び対向させると、METｓおよびEx尺の1.5と時間尺（２ｂ）の11が対向する。つまり、55kgの人が1単位(80kcal)を消費するために1.5Exが必要でクロールをする場合は11分が必要運動時間であることが計算される。
【００３９】
次に、上記のようにクロールで求められた時間から別の運動内容であるバスケットボールに対し1単位(80kcal)を消費するための必要運動時間を計算する方法(過程２’)について説明する。
上記の過程２において大型カード（クロール）（１）の変わりに大型カード（バスケットボール）（３）を使用し、大型カード（バスケットボール）（３）の運動内容METs基準線（３ｄ）に小型カード（２）の時間尺（２ｂ）の60をを選び対向させると、大型カード（バスケットボール）（３）のEx尺（３ｃ）の1.5と小型カード（２）の時間尺（２ｂ）の15が対向する。つまり、55kgの人が1単位(80kcal)を消費するためにバスケットボールをする場合の必要運動時間は15分であることが計算される。
【００４０】
次に、上記のように55kgの人が1単位(80kcal)を消費することに関する計算方法（過程１、過程２、過程２’）について、体重が40kgの人が行う場合の計算方法について説明する。大型カード（クロール）（１）の1単位(80kcal)基準線（１ａ）に、小型カード（２）の体重尺（２ａ）から40(kg)を選び対向させると、大型カード（クロール）（１）のEx尺（１ｃ）の目盛の1.9が対向する。つまり、40kgの人が1単位(80kcal)を消費するためには1.9Exが必要であることがわかる。また、大型カード（クロール）（１）の運動内容METｓ基準線（１ｄ）に小型カード（２）の時間尺（２ｂ）の60を選び対向させると、METｓおよびEx尺の1.9と時間尺（２ｂ）の14が対向する。つまり、40kgの人が1単位(80kcal)を消費するために1.9Exが必要でクロールをする場合は14分が必要運動時間であることが計算される。さらに、上記の計算において大型カード（クロール）（１）の変わりに 大型カード（バスケットボール）（３）を使用し、大型カード（バスケットボール）（３）の運動内容METs基準線（３ｄ）に小型カード（２）の時間尺（２ｂ）の60を選び対向させると、大型カード（バスケットボール）（３）のEx尺の1.9と小型カード（２）の時間尺（２ｂ）の19が対向する。つまり、40kgの人が1単位(80kcal)を消費するために1.9Exが必要でバスケットボールをする場合は19分が必要運動時間であることが計算される。
【産業上の利用可能性】
【００４１】
本発明により、エクササイズガイド２００６に詳しくない人でも容易に運動計画が可能になり、運動指導の質の向上、運動習慣の教育、獲得及び定着に役立つ。
【符号の説明】
【００４２】
1  大型カード（クロール）
1a 1単位(80kcal)基準線
1b 運動消費カロリー尺
1c Ex尺
1d 運動内容METs基準線
1e METｓおよびエクササイズ尺
1f 運動内容表示部分
1g 必要運動時間記入欄
1h メッセージおよび自由記入欄
2  小型カード
2a 体重尺
2b 時間尺
2c 体重基準線
2d 使用方法説明記載部分
2e メッセージおよび自由記入欄
3  大型カード（バスケットボール）
3a 1単位(80kcal)基準線
3b 運動消費カロリー尺
3c Ex尺
3d 運動内容METs基準線
3e METｓおよびエクササイズ尺
3f 運動内容表示部分
3g 必要運動時間記入欄
3h メッセージおよび自由記入欄
【図１】
2013163325.tif 000003
【図２】
2013163325.tif 000004
【図３】
2013163325.tif 000005
【図４】
2013163325.tif 000006
【図５】
2013163325.tif 000007
【図６】
2013163325.tif 000008
【図７】
2013163325.tif 000009
【図８】
2013163325.tif 000010
【図９】
2013163325.tif 000011
【図１０】
2013163325.tif 000012
【図１１】
2013163325.tif 000013